(57)【要約】【課題】本発明は、内部に携帯端末が収納された際に、この携帯端末の操作性を向上させる携帯端末の収納ケースを提供する。【解決手段】内部に携帯端末１０が収納されるケース本体２と、ケース本体２に内外を貫通するように設けられた挿入スロット３と、ケース本体２の内部に備えられ、挿入スロット３からケース本体２の内部に挿入された携帯端末１０に電力を供給するバッテリ４と、を備えた。【選択図】  図１
2009182621.tif 000002
【特許請求の範囲】
【請求項１】
内部に携帯端末が収納されるケース本体と、
前記ケース本体に内外を貫通するように設けられた挿入スロットと、
前記ケース本体の内部に備えられ、前記挿入スロットから前記ケース本体の内部に挿入された携帯端末に電力を供給するバッテリと、
を備えたことを特徴とする携帯端末の収納ケース。
【請求項２】
前記ケース本体は、透明または半透明の素材で形成されたことを特徴とする請求項１記載の携帯端末の収納ケース。
【請求項３】
前記ケース本体は、一部にアンテナが形成されたことを特徴とする請求項１記載の携帯端末の収納ケース。
【請求項４】
前記ケース本体は、内部に収納された携帯端末の着信状況やメール受信状況に基づいて点灯または消灯するＬＥＤを備えたことを特徴とする請求項１記載の携帯端末の収納ケース。
【請求項５】
前記ケース本体は、所定位置にスピーカ及びマイクロフォンが設けられたストラップを備えたことを特徴とする請求項１記載の携帯端末の収納ケース。
【請求項６】
カード型携帯端末を収納する収納ケースであって、
内部に前記カード型携帯端末が収納されるケース本体と、
前記ケース本体に内外を貫通するように設けられた挿入スロットと、
前記ケース本体の内部に備えられ、前記挿入スロットから前記ケース本体の内部に挿入されたカード型携帯端末に電力を供給するバッテリと、を備え、
前記バッテリはカード状に形成され、前記ケース本体に前記カード型携帯端末が収納された際に、このケース本体の内部において、前記カード型携帯端末に積層される位置に備えられたことを特徴とするカード型携帯端末の収納ケース。
【請求項７】
カード型携帯端末を収納する収納ケースであって、
内部に前記カード型携帯端末が収納されるケース本体と、
前記ケース本体に内外を貫通するように設けられた挿入スロットと、
前記ケース本体の内部に備えられ、前記挿入スロットから前記ケース本体の内部に挿入されたカード型携帯端末に電力を供給するバッテリと、を備え、
前記バッテリは、前記ケース本体に前記カード型携帯端末が収納された際に、このケース本体の内部において、前記カード型携帯端末の側面の位置に備えられたことを特徴とするカード型携帯端末の収納ケース。
【請求項８】
前記ケース本体は、透明または半透明の素材で形成されたことを特徴とする請求項６または７記載のカード型携帯端末の収納ケース。
【請求項９】
前記ケース本体は、内部に前記カード型携帯端末が収納された際にこのカード型携帯端末の操作キー、スピーカ、マイクロフォンのいずれかと対面する位置に、内外に貫通する切欠部が設けられたことを特徴とする請求項７記載のカード型携帯端末の収納ケース。
【請求項１０】
前記ケース本体の内部において、前記カード型携帯端末が収納される空間と前記バッテリとの間に、非金属体及び前記バッテリから前記カード型携帯端末に電力を供給するための接続端子を備えたことを特徴とする請求項７記載のカード型携帯端末の収納ケース。
【請求項１１】
カード型携帯端末を収納する収納ケースであって、
内部に前記カード型携帯端末が収納されるケース本体と、
前記ケース本体に内外を貫通するように設けられた挿入スロットと、
前記ケース本体の内部に備えられ、薄膜状に形成されたアンテナを備え、
前記アンテナは、前記ケース本体に前記カード型携帯端末が収納された際に、このケース本体の内部において、前記カード型携帯端末に積層される位置に備えられたことを特徴とするカード型携帯端末の収納ケース。
【請求項１２】
カード型携帯端末を収納する収納ケースであって、
内部に前記カード型携帯端末が収納されるケース本体と、
前記ケース本体に内外を貫通するように設けられた挿入スロットと、
前記ケース本体の内部に収納される冷却材と、を備え、
前記冷却材は、前記ケース本体に前記カード型携帯端末が収納された際に、このケース本体の内部において、前記カード型携帯端末に積層される位置に備えられたことを特徴とするカード型携帯端末の収納ケース。
【請求項１３】
前記ケース本体の内部において、前記カード型携帯端末が収納される空間と前記冷却材との間に、ペルチェ素子を備えたことを特徴とする請求項１２記載のカード型携帯端末の収納ケース。
【発明の詳細な説明】
【技術分野】
【０００１】
本発明は、内部に携帯端末を収納した際に、この携帯端末の操作性を向上させる携帯端末の収納ケースに関する。
【背景技術】
【０００２】
最近の携帯端末において多機能化が進み、携帯端末がメール送受信、Ｗｅｂ閲覧、カメラ機能、テレビ視聴等の様々な機能を備えている一方で、持ち運びの際にユーザの負荷にならないように小型軽量化が進んでいる。また、携帯端末を小型化すると、携帯性に優れている便利な反面、操作性が低下してしまうという問題があった。そこで、これらの携帯端末を便利に携帯するための携帯補助具が提案されている。
【０００３】
例えば特許文献１に、電波の送受信を安定して確実に行う上で有利な無線通信装置および無線機吊り下げ用吊り下げ部材が記載されている。この携帯端末は、吊り下げ部材が頸部に掛止された状態で、アンテナが頸部の後方に臨む箇所から上半身が前方に臨む箇所にわたって延在するように構成し、頸部とアンテナとの距離を確保することにより、ユーザの上半身を中心としてその周囲全周にわたって満遍なく電波が送信され、アンテナが頸部に臨む部分から放射されるものである。
【特許文献１】特開２００７−６０１９３号公報
【発明の開示】
【発明が解決しようとする課題】
【０００４】
近年、カード型等の非常に小さい携帯端末が開発されているが、小型の携帯端末には大きなバッテリを内蔵できないため、電池容量が小さくなってしまうという問題があった。また、小型の携帯端末の内部には冷却材となる金属板を十分に配置できないため、携帯端末の内部で発生した熱を十分に放熱できないという問題もあった。さらに、小型の携帯端末を用いてユーザがハンズフリー通話をする際、マイクやスピーカとの距離が離れているため音が聞き取り難いという問題もあった。よって、小型の携帯端末の利用にあたり、これらの問題が解決されるように、携帯端末の操作性を向上させる携帯補助具（収納ケース等）が開発されることが望まれていた。
【０００５】
本発明は、上記課題を鑑みなされてものであり、内部に携帯端末が収納された際に、この携帯端末の操作性を向上させることができる携帯端末の収納ケースを提供することを目的とする。
【課題を解決するための手段】
【０００６】
上記課題を解決するために、本発明に係る携帯端末の収納ケースは、内部に携帯端末が収納されるケース本体と、前記ケース本体に内外を貫通するように設けられた挿入スロットと、前記ケース本体の内部に備えられ、前記挿入スロットから前記ケース本体の内部に挿入された携帯端末に電力を供給するバッテリと、を備えたことを特徴とする。
【発明の効果】
【０００７】
本発明に係る携帯端末の収納ケースによると、透明または半透明の素材で形成されるとともに内部にバッテリやアンテナを備えることにより、内部に携帯端末が収納された際に、この携帯端末の操作性を向上させることが可能となる。
【発明を実施するための最良の形態】
【０００８】
〔第１実施形態〕
本発明に係る携帯端末の収納ケースの第１実施形態について、図１乃至図３を参照しながら説明する。第１実施形態の携帯端末の収納ケース１は、カード型等の比較的小型の携帯端末１０を収納するための収納ケースである。図１（Ａ）に、携帯端末収納時の収納ケース１を表面側から見た状態を示す斜視図を、図１（Ｂ）に、図１（Ａ）のＡ方向における断面図を示す。なお、携帯端末１０やバッテリ４、４Ａの内部の断面に関しては、一連の添付図面において省略して示す。
【０００９】
収納ケース１は、図１に示すように、主に、箱状のケース本体２から構成されており、この箱状のケース本体２の内部に携帯端末１０が収納される。このケース本体２は、透明または半透明の合成樹脂やガラス等の素材により形成されている。またケース本体２は、内部に携帯端末１０が収納されても変形しない程度の保形性を有している。ここでは、ケース本体２は携帯端末２とほぼ同形状のカード状であるとともに、携帯端末１０よりやや大きめに形成されているものとする。
【００１０】
ケース本体２は、携帯端末１０を収納ケース１の内部に挿入するための挿入スロット３を備えている。例えば、挿入スロット３はケース本体２の側面において、ケース本体２の内外に貫通するように設けられていて、カード状の携帯端末１０が、この挿入スロット３を介して、ケース本体２に対して平行方向にスライドするようにしてケース本体２の内外に出し入れされる。
【００１１】
また、ケース本体２の内部には、バッテリ４が備えられるとともに、このバッテリ４から携帯端末１０に電力を供給するための接続端子５が備えられている。バッテリ４は、携帯端末１０とほぼ同形状のカード状に形成されていて、ケース本体２の内部に、ケース本体２に対して平行になるように収納されている。そして、ケース本体２に携帯端末１０を収納する際には、携帯端末１０がバッテリ４に対して平行になるように挿入され、バッテリ４が携帯端末１０の裏面１１Ａに対面するように積層されて収納される。
【００１２】
接続端子５は、ケース本体２の内部において、例えば、ケース本体２の側面のうちの挿入スロット３が設けられていない側面に設置されている。接続端子５は、携帯端末１０はバッテリ４に蓄電された電力を携帯端末１０に供給する。なお、接続端子５が設置される位置はこれに限定されず、携帯端末１０の収納ケース１への出し入れを妨げず、かつ、バッテリ４に蓄電された電力を携帯端末１０に供給できる位置であれば任意の位置で良い。
【００１３】
また、ケース本体２の挿入スロット３の近辺には、保持部６が設けられている。携帯端末１０の所有者は、この保持部６を用いて収納ケース１を衣服のポケットに引っ掛けたり首から提げたりすることにより、携帯端末１を収納ケース１に収納した状態で持ち歩くことができる。なお、保持部６が設置される位置はこれに限定されず、携帯端末１０の収納ケース１への出し入れを妨げず、かつ、所有者が収納ケース２を保持する際に、収納されている携帯端末１０が収納ケース１から脱落しない位置であれば任意の位置で良い。
【００１４】
ここで、収納ケース１に収納される携帯端末１０について説明する。ここでは、通信端末としての機能の他に、社員証として身分証明に使用される携帯端末１０を例に挙げて説明する。図２（Ａ）は、携帯端末１０を示す正面図、図２（Ｂ）は、図２（Ａ）に示す携帯端末１０を反時計回りに９０度回転させた状態を示す背面図、図２（Ｃ）は、図２（Ａ）に示す携帯端末１０を反時計周りに９０度回転させた状態を示す側面図である。
【００１５】
携帯端末１０は、例えば縦５ｃｍ×横８ｃｍ×厚さ数ｍｍ程度の大きさ（名詞サイズ）のカード状の筐体１０Ａを備えている。図２（Ａ）に示すように、筐体１０Ａの表面１１には、会社名、氏名、社員ＩＤ、顔写真等の社員情報が印刷されている。携帯端末１０の所有者は、筐体Ａの表面１１を提示することにより、社員としての身分を証明することができる。
【００１６】
また、図２（Ｂ）に示すように、筐体１０Ａの裏面１１Ａには、携帯端末１を通信端末として使用するための機能が備えられている。具体的には、筐体１０Ａの裏面１１Ａには、文字や画像等の表示情報を表示するための液晶ディスプレイ１３、音声を出力するためのスピーカ１４、ボタンを押下することにより文字列や指示内容を入力するための操作キー１５、音声を集音するためのマイクロフォン１６、着信やメール受信を通知するために点灯するＬＥＤ１７を備えている。操作キー１５は、カーソルを上下左右に移動させるための十字キー、数字を入力するための数字キー、発信処理を行うための発信キー等からなる。
【００１７】
また、図２（Ｃ）に示すように、筐体１０Ａの所定の側面１２（携帯端末１を収納ケース１に収納した際に、下面側に位置する側面）には、外部の電力供給源（バッテリ等）から電力を供給されるための充電端子１８が備えられている。外部の電力供給源の接続端子をこの充電端子１８に接触させることにより、携帯端末１に電力が供給される。なお、充電端子１８が設けられる位置は側面１２に限定されず、外部のバッテリの接続端子に接続可能な位置であれば、任意の位置に設けられて良い。
【００１８】
図３に、携帯端末１の機能ブロック図を示す。携帯端末１は、図３に示すように、主制御部２０、電源回路部２１、操作入力制御部２２、表示制御部２３、鳴動制御部２４、音声制御部２５、通信制御部２６、記憶部２７、ＩＣタグ制御部２８がバスによって相互に接続されて構成されている。
【００１９】
主制御部２０は、ＣＰＵ（Ｃｅｎｔｒａｌ  Ｐｒｏｃｅｓｓｉｎｇ  Ｕｎｉｔ）を具備し、携帯端末１の総括的な制御を行うとともに、様々な演算処理や制御処理等を行う。電源回路部２１は、ユーザによる操作キー１５を介した入力に基づいて電源のオン／オフ状態を切り替える。電源がオン状態の時には、電源回路部２１は、筐体１０Ａに内蔵された電力供給源（バッテリ２１ａ等）または充電端子１８に接続されたバッテリから供給された電力を携帯端末１の各部に対して供給して、携帯端末１を動作可能にする。
【００２０】
操作入力制御部１２は操作キー１５に対する入力インタフェースを備え、押下された操作キー１５に基づいて信号を生成し、この信号を主制御部２０に伝送する。表示制御部２３は液晶ディスプレイ１３に対する表示インタフェースを備え、主制御部２０の制御に基づいて、文字や画像等の表示情報を液晶ディスプレイ１３に表示させる。また表示制御部２３はＬＥＤ１７に対する表示インタフェースを備え、主制御部２０の制御に基づいて、このＬＥＤ１７を点灯させたり消灯させたりする。鳴動制御部２４は、警告音を発生させる機構や携帯端末１を振動させる機構を備え、主制御部２０の制御に基づいて、警告音を発生したり携帯端末１を振動させたりする。
【００２１】
また携帯端末１は、他の携帯端末や固定電話機に対して、基地局（図示せず）を介して音声通話処理を行う。すなわち音声を送信する際、音声制御部２５は、主制御部２０の制御に基づいて、マイクロフォン１６が集音した音声を取得して、この音声のアナログ信号をデジタル信号に変換し、通信制御部２６に伝送する。通信制御部２６は、このデジタル信号をスペクトラム拡散処理して、アンテナ２６ａを介して基地局に送信する。また音声を受信する際、通信制御部２６は、基地局からアンテナ２６ａを介して受信したデジタル信号をスペクトラム逆拡散処理して音声制御部２５に伝送する。音声制御部２５は、このデジタル信号をアナログ信号に変換して、音声をスピーカ１４から出力する。
【００２２】
また携帯端末１は、他の携帯端末や通信機器に対してデータ通信処理を行う。すなわち携帯端末１は、電子メールやＷｅｂ閲覧データ、画像データ等の様々なデータの送受信処理を行う。通信制御部２６は、データを受信する際、主制御部２０の制御に基づいて、アンテナ２６ａを介して基地局から信号を受信するとともに、これらの信号をスペクトラム逆拡散処理してデータを復元する。これらのデータは、主制御部２０の制御部基づいて、液晶ディスプレイ１３に表示されたり記憶部２７に記憶されたりする。また通信制御部２６は、操作キー１５を介して入力されたデータや記憶部２７に記憶されたデータを送信する際、主制御部２０の制御に基づいて、これらのデータに対してスペクトラム拡散処理を行い、アンテナ２６ａを介して基地局に送信する。
【００２３】
記憶部２７は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。
【００２４】
ＩＣタグ制御部２８は、携帯端末１に内蔵されたＩＣ（Ｉｎｔｅｇｒａｔｅｄ  Ｃｉｒｃｕｉｔ）タグ２８ａに対してデータの入出力を行う。ＩＣタグ２８ａには、例えば筐体１０Ａの表面１１に印刷された社員情報等が記憶されていて、ＩＣタグリーダによりＩＣタグ２８ａに記憶された情報を読み取ることができる。なお、このＩＣタグ２８ａに記憶された情報は、携帯端末１０が収納ケース１に収納された状態であっても、ＩＣタグリーダにより読み取ることができる。
【００２５】
携帯端末１０を収納ケース１に収納すると、携帯端末１０の充電端子１８が収納ケース１に備えられたバッテリ４の接続端子５に接触することにより、バッテリ４に蓄電された電力が携帯端末１０に供給される。よって、携帯端末１０は、収納ケース１に収納されている間、常に電力の供給を受けることができる。
【００２６】
すなわち、携帯端末１０は、収納ケース１に収納されている時には外部のバッテリ４から電力の供給を受け、収納ケース１に収納されていない時には内蔵バッテリ２１ａから電力の供給を受ける。これにより、携帯端末１０の所有者は、内蔵バッテリ２１ａの充電を行うことなく、長時間、携帯端末１０を駆動させることができる。
【００２７】
また、収納ケース１のケース本体２が透明または半透明の素材で形成されていることにより、携帯端末１０を収納ケース１に収納した状態で、この携帯端末１０を外部から視認することが可能となる。
【００２８】
また、収納ケース１に備えられるバッテリ４の形状を携帯端末１０とほぼ同形状のカード状に形成するとともに、携帯端末１０とバッテリ４とを積層させて収納ケース１に収納することにより、収納ケース１の大きさを大きくすることなく、より大きな電力を携帯端末１０に供給することができる。
【００２９】
また、収納ケース１に備えられるバッテリ４の形状をカード状に形成するとともに、携帯端末１０の裏面１１Ａとバッテリ４とが対面するように携帯端末１０とバッテリ４とを積層させて収納ケース１に収納することにより、社員情報が印刷された携帯端末１０の表面１１が収納ケース１の外部から視認可能なように、携帯端末１０を収納ケース１に収納することができる。これにより、携帯端末１０の所有者は、携帯端末１０を収納ケース１に収納した状態で、携帯端末１０を身分証明書として使用することが可能となる。
【００３０】
また、収納ケース１のケース本体２を携帯端末１０とほぼ同形状のカード状に形成するとともに、ケース部材２に備えられるバッテリ４を携帯端末１０とほぼ同形状のカード状に形成することにより、携帯端末１０の所有者が携帯端末１０を収納ケース１に収納して持ち歩いた際に、携帯端末１０が収納ケース１の内部で揺れ動くことなく所定位置に固定される。この際、携帯端末１０の充電端子１８がバッテリ４の接続端子５に嵌合するように形成して、携帯端末１０を収納ケース１の内部の所定位置に固定しても良い。
【００３１】
第１実施形態によると、ケース本体２が透明または半透明の素材で形成されるとともに内部にバッテリ４を備えることにより、内部に携帯端末１０が収納された際に、この携帯端末１０が外部から視認でき、またバッテリ４から電力が供給され、この携帯端末１０の操作性を向上させることが可能となる。
【００３２】
〔第２実施形態〕
本発明に係る携帯端末の収納ケースの第２実施形態について、図４を参照しながら説明する。第２実施形態の収納ケース１Ａは、第１実施形態の収納ケース１と同様に、カード型等の比較的小型の携帯端末１０を収納するための収納ケースである。以下、第１実施形態と同一の構成には同一の符号を付し、重複する説明を省略する。
【００３３】
図４（Ａ）に、携帯端末収納時の収納ケース１Ａを表面側から見た状態を示す斜視図を、図４（Ｂ）に、携帯端末収納時の収納ケース１Ａを裏面側から見た状態を示す斜視図を、図４（Ｃ）に、図４（Ａ）のＢ方向における断面図を示す。収納ケース１Ａは、第１実施形態の収納ケース１と同様に、主にケース本体２から構成されているとともに、ケース本体２には挿入スロット３、保持部６が設けられている。
【００３４】
ケース本体２の内部には、図４に示すように、バッテリ４Ａが備えられている。バッテリ４Ａは、携帯端末１０の充電端子１８が設けられた側面１２とほぼ同形状の板状に形成されていて、ケース本体２の内部に、ケース本体２の側面を覆うように収納されている。そして、ケース本体２に携帯端末１０を収納する際には、バッテリ４Ａが携帯端末１０の側面１２に対面するような状態で収納される。
【００３５】
バッテリ４は接続端子（図示せず）を備えていて、携帯端末１０がケース本体２に収納する際に、携帯端末１０の充電端子１８がこのバッテリ４の接続端子に接触するような状態で収納される。これにより、バッテリ４に蓄電された電力が接続端子及び充電端子１８を介して携帯端末１０に供給される。
【００３６】
このように、収納ケース１Ａに備えられるバッテリ４Ａの形状をケース本体２の側面とほぼ同形状の板状に形成するとともに、携帯端末１０の側面１２とバッテリ４Ａとが対面するように携帯端末１０とバッテリ４Ａとを収納ケース１Ａに収納することにより、携帯端末１０の表面１１及び裏面１１Ａがともに収納ケース１Ａの外部から視認可能なように、携帯端末１０を収納ケース１Ａに収納することができる。これにより、携帯端末１０の所有者は、携帯端末１０を収納ケース１Ａに収納した状態で、携帯端末１０を身分証明書として使用したり、液晶ディスプレイ１３の表示情報やＬＥＤ１７の点灯を確認したりすることが可能となる。
【００３７】
また、携帯端末１０は、収納ケース１Ａに収納されている時には外部のバッテリ４Ａから電力の供給を受け、収納ケース１Ａに収納されていない時には内蔵バッテリ２１ａから電力の供給を受ける。これにより、携帯端末１０の所有者は、内蔵バッテリ２１ａの充電を行うことなく、長時間、携帯端末１０を駆動させることができる。
【００３８】
第２実施形態によると、ケース本体２が透明または半透明の素材で形成されるとともに内部にバッテリ４Ａを備えることにより、内部に携帯端末１０が収納された際に、この携帯端末１０の表面１１及び裏面１１Ａの双方が外部から視認でき、またバッテリ４Ａから電力が供給され、この携帯端末１０の操作性を向上させることが可能となる。
【００３９】
〔第３実施形態〕
本発明に係る携帯端末の収納ケースの第３実施形態について、図５を参照しながら説明する。第３実施形態の収納ケース１Ｂは、第１実施形態及び第２実施形態の収納ケース１、１Ａと同様に、カード型等の比較的小型の携帯端末１０を収納するための収納ケースである。以下、第１実施形態及び第２実施形態と同一の構成には同一の符号を付し、重複する説明を省略する。
【００４０】
図５（Ａ）に、携帯端末収納時の収納ケース１Ｂを裏面側から見た状態を示す斜視図を、図５（Ｂ）に、図５（Ａ）のＣ方向における断面図を示す。収納ケース１Ｂは、第２実施形態の収納ケース１Ａと同様に、主にケース本体２から構成されているとともに、ケース本体２に挿入スロット３、保持部６が設けられていて、また、ケース本体２の内部にバッテリ４Ａが収納されている。
【００４１】
図５に示すように、収納ケース１Ｂのケース本体２には、切欠部２Ａが設けられている。この切欠部２Ａは、例えば、収納ケース２Ａに携帯端末１０が収納された際に、ケース本体２において携帯端末１０の裏面１１Ａが対面する面に、スピーカ１４やＬＥＤ１７、及び操作キー１５やマイクロフォン１６の位置に、これらが外部に露出するように設けられている。
【００４２】
図５（Ｂ）に示すように、所有者は、収納ケース１Ｂに携帯端末１０が収納された状態においても、切欠部２Ａにより操作キー１５が外部に露出されているため、操作キー１５を直に操作してメール送信やＷｅｂ閲覧、アプリケーションプログラムの起動等を行うことができるとともに、スピーカ１４やマイクロフォン１６も露出されているため、音声通話を行うこともできる。
【００４３】
このように、収納ケース１Ｂに備えられるバッテリ４Ａの形状をケース本体２の側面とほぼ同形状の板状に形成するとともに、携帯端末１０の側面１２とバッテリ４Ａとが対面するように携帯端末１０とバッテリ４Ａとを収納ケース１Ｂに収納することにより、携帯端末１０の表面１１及び裏面１１Ａがともに収納ケース１Ｂの外部から視認可能なように、携帯端末１０を収納ケース１Ｂに収納することができる。これにより、携帯端末１０の所有者は、携帯端末１０を収納ケース１Ｂに収納した状態で、携帯端末１０を身分証明書として使用したり、液晶ディスプレイ１３の表示情報やＬＥＤ１７の点灯を確認したりすることが可能となる。
【００４４】
また、ケース本体２において携帯端末１０の裏面１１Ａと対面する面に切欠部２Ａを設けたことにより、携帯端末１０を収納ケース１Ｂに収納した状態で、携帯端末１０のスピーカ１４や操作キー１５、マイクロフォン１６等が外部に露出される。これにより、携帯端末１０の所有者は、携帯端末１０を収納ケース１Ｂに収納した状態で、音声通話、メール送受信、Ｗｅｂ閲覧等の様々な操作を行うことが可能となる。
【００４５】
また、携帯端末１０は、収納ケース１Ｂに収納されている時には外部のバッテリ４Ａから電力の供給を受け、収納ケース１Ｂに収納されていない時には内蔵バッテリ２１ａから電力の供給を受ける。これにより、携帯端末１０の所有者は、内蔵バッテリ２１ａの充電を行うことなく、長時間、携帯端末１０を駆動させることができる。
【００４６】
第３実施形態によると、ケース本体２が透明または半透明の素材で形成されるとともに内部にバッテリ４Ａを備え、またケース本体２に切欠部２Ａが設けられることにより、内部に携帯端末１０が収納された際に、この携帯端末１０の表面１１及び裏面１１Ａの双方が外部から視認でき、またバッテリ４Ａから電力が供給され、さらに切欠部２Ａを介して所有者が直に携帯端末１０を操作でき、この携帯端末１０の操作性を向上させることが可能となる。
【００４７】
〔第４実施形態〕
本発明に係る携帯端末の収納ケースの第４実施形態について、図６を参照しながら説明する。第４実施形態の収納ケース１Ｃは、第１実施形態乃至第３実施形態の収納ケース１、１Ａ、１Ｂと同様に、カード型等の比較的小型の携帯端末１０を収納するための収納ケースである。以下、第１実施形態乃至第３実施形態と同一の構成には同一の符号を付し、重複する説明を省略する。
【００４８】
図６（Ａ）に、携帯端末収納時の収納ケース１Ｃを表面側から見た状態を示す斜視図を、図６（Ｂ）に、図６（Ａ）のＤ方向における断面図を、図６（Ｃ）に、図６（Ａ）のＥ方向における断面図を示す。収納ケース１Ｃは、第２実施形態の収納ケース１Ａと同様に、主にケース本体２から構成されているとともに、ケース本体２に挿入スロット３、保持部６が設けられていて、また、ケース本体２の内部にバッテリ４Ａが収納されている。
【００４９】
図６（Ａ）乃至図６（Ｃ）に示すように、ケース本体２の内部において、携帯端末１０が収納される空間とバッテリ４Ａが備えられる空間との間に非金属体７が備えられている。この非金属体７の素材は、例えば本体ケース２と同様の合成樹脂やガラス等である。この非金属体７は、バッテリ４Ａとほぼ同形状の板状に形成されているとともに、一部、切欠部が設けられている。そして、バッテリ４Ａには、蓄電されている電力を収納ケース１Ｃに収納された携帯端末１０に供給するための接続端子５Ａが備えられていて、バッテリ４Ａは、ケース本体２の内部において、接続端子５Ａが非金属体７の切欠部の位置に位置するように設置される。これにより、収納ケース１に携帯端末１０が収納された際に、携帯端末１０の充電端子１８がバッテリ４Ａの接続端子５Ａに接触するように収納されて、携帯端末１０に、バッテリ４Ａから電力が供給される。
【００５０】
なお、この非金属体７における切欠部の位置や形状は、バッテリ７における接続端子５Ａの位置や形状に併せて形成されるとよい。
【００５１】
通常、アンテナに金属体を近付けるとアンテナの受信感度が低下してしまうという問題があるため、アンテナが内蔵された携帯端末１０と金属体であるバッテリ４Ａとの間に間隙（非金属体７）を設けることで、携帯端末１０のアンテナとバッテリ４Ａとの距離を大きくすることが可能となる。
【００５２】
このように、収納ケース１Ｃに備えられるバッテリ４Ａの形状をケース本体２の側面とほぼ同形状の板状に形成するとともに、携帯端末１０の側面１２とバッテリ４Ａとが対面するように携帯端末１０とバッテリ４Ａとを収納ケース１Ｃに収納することにより、携帯端末１０の表面１１及び裏面１１Ａがともに収納ケース１Ｃの外部から視認可能なように、携帯端末１０を収納ケース１Ｃに収納することができる。これにより、携帯端末１０の所有者は、携帯端末１０を収納ケース１Ｃに収納した状態で、携帯端末１０を身分証明書として使用したり、液晶ディスプレイ１３の表示情報やＬＥＤ１７の点灯を確認したりすることが可能となる。
【００５３】
また、携帯端末１０は、収納ケース１Ｃに収納されている時には外部のバッテリ４Ａから電力の供給を受け、収納ケース１Ｃに収納されていない時には内蔵バッテリ２１ａから電力の供給を受ける。これにより、携帯端末１０の所有者は、内蔵バッテリ２１ａの充電を行うことなく、長時間、携帯端末１０を駆動させることができる。
【００５４】
また、携帯端末１０が収納ケース１Ｃに収納された際に、収納ケース１Ｃに備えられたバッテリ４Ａとアンテナが内蔵された携帯端末１０との間に間隙を設けたことにより、バッテリ４Ａによって携帯端末１０の電波の受信感度が低下することが防止されている。
【００５５】
第４実施形態によると、ケース本体２が透明または半透明の素材で形成されるとともに内部にバッテリ４Ａを備え、また携帯端末１０とバッテリ４Ａとの間に間隙が設けられることにより、内部に携帯端末１０が収納された際に、この携帯端末１０の表面１１及び裏面１１Ａの双方が外部から視認でき、またバッテリ４Ａから電力が供給され、さらに携帯端末１０の電波の受信感度の低下が防止され、この携帯端末１０の操作性を向上させることが可能となる。
【００５６】
〔第５実施形態〕
本発明に係る携帯端末の収納ケースの第５実施形態について、図７を参照しながら説明する。第５実施形態の収納ケース１Ｄは、第１実施形態乃至第４実施形態の収納ケース１、１Ａ乃至１Ｃと同様に、カード型等の比較的小型の携帯端末１０を収納するための収納ケースである。以下、第１実施形態乃至第４実施形態と同一の構成には同一の符号を付し、重複する説明を省略する。
【００５７】
図７（Ａ）に、携帯端末収納時の収納ケース１Ｄを表面側から見た状態を示す斜視図を、図７（Ｂ）に、図７（Ａ）のＦ方向における断面図を示す。収納ケース１Ｄは、第２実施形態の収納ケース１Ａと同様に、主にケース本体２から構成されているとともに、ケース本体２には挿入スロット３、バッテリ４Ａ、保持部６が設けられている。
【００５８】
図７に示すように、収納ケース１Ｄのケース本体２の一方の面は、アンテナ８が実装されている。このアンテナ８は、例えばケース本体２にメッキされることにより実装されている。またアンテナ８は、例えば図７（Ａ）に示すように、収納ケース１Ｄに携帯端末１０が収納された際に、携帯端末１０の表面１１に印刷されている社員情報を覆い隠さないように、ケース本体２の一面（例えば携帯端末１０の表面１１側と対面する面）の外枠付近に実装されている。この際、バッテリ４Ａが設置される位置に近い辺にはアンテナ８を実装しないようにすると良い。
【００５９】
このように、収納ケース１Ｄに備えられるバッテリ４Ａの形状をケース本体２の側面とほぼ同形状の板状に形成するとともに、携帯端末１０の側面１２とバッテリ４Ａとが対面するように携帯端末１０とバッテリ４Ａとを収納ケース１Ｄに収納することにより、携帯端末１０の表面１１及び裏面１１Ａがともに収納ケース１Ｄの外部から視認可能なように、携帯端末１０を収納ケース１Ｄに収納することができる。これにより、携帯端末１０の所有者は、携帯端末１０を収納ケース１Ｄに収納した状態で、携帯端末１０を身分証明書として使用したり、液晶ディスプレイ１３の表示情報やＬＥＤ１７の点灯を確認したりすることが可能となる。
【００６０】
また、収納ケース１Ｄにおいて、携帯端末１０が収納された際に携帯端末１０の表面１１が対面する面の外枠付近にアンテナ８を設けたことにより、携帯端末１０を収納ケース１Ｄに収納した状態であっても、携帯端末１０の電波の受信感度を高めることができ、また、携帯端末１０の表面１１に印刷された社員情報がこのアンテナ８によって視認できなくなることが防止されている。
【００６１】
また、携帯端末１０は、収納ケース１Ｄに収納されている時には外部のバッテリ４Ａから電力の供給を受け、収納ケース１Ｄに収納されていない時には内蔵バッテリ２１ａから電力の供給を受ける。これにより、携帯端末１０の所有者は、内蔵バッテリ２１ａの充電を行うことなく、長時間、携帯端末１０を駆動させることができる。
【００６２】
第５実施形態によると、ケース本体２が透明または半透明の素材で形成されるとともに内部にバッテリ４Ａを備え、またケース本体２にアンテナ８が形成されることにより、内部に携帯端末１０が収納された際に、この携帯端末１０の表面１１及び裏面１１Ａの双方が外部から視認でき、またバッテリ４Ａから電力が供給され、さらに携帯端末１０の電波の受信感度を高めることができ、この携帯端末１０の操作性を向上させることが可能となる。
【００６３】
〔第６実施形態〕
本発明に係る携帯端末の収納ケースの第６実施形態について、図８を参照しながら説明する。第６実施形態の収納ケース１Ｅは、第１実施形態乃至第５実施形態の収納ケース１、１Ａ乃至１Ｄと同様に、カード型等の比較的小型の携帯端末１０を収納するための収納ケースである。以下、第１実施形態乃至第５実施形態と同一の構成には同一の符号を付し、重複する説明を省略する。
【００６４】
図８（Ａ）に、携帯端末収納時の収納ケース１Ｅを表面側から見た状態を示す斜視図を、図８（Ｂ）に、図８（Ａ）のＧ方向における断面図を示す。収納ケース１Ｅは、第１実施形態の収納ケース１と同様に、主にケース本体２から構成されているとともに、ケース本体２には挿入スロット３、保持部６が設けられている。
【００６５】
収納ケース１Ｅのケース本体２の内部には、アンテナ９が備えられている。このアンテナ９は、例えば携帯端末１０とほぼ同形状の薄膜状に形成されていて、ケース本体２の内部に、ケース本体２に対して平行になるように収納されている。そして、ケース本体２に携帯端末１０が収納される際には、携帯端末１０がアンテナ９に対して平行になるように挿入され、アンテナ９が携帯端末１０の裏面１１Ａに対面するように収納される。
【００６６】
なお、薄膜状のアンテナ９が複数枚、相互に間隙が設けられるように積層されていても良い。
【００６７】
また、このアンテナ９を電磁誘導方式の充電器として使用しても良い。すなわち、アンテナ９に一次コイルを、携帯端末１０に二次コイルを備えさせておくことで、アンテナ９に携帯端末１０を接近させることにより、アンテナ９と携帯端末１０とを磁気的に結合させ、アンテナ９から発生する交流磁場で携帯端末１０に内蔵された二次コイルに誘起電圧を発生させる。これにより、電気的な接続をすることなく携帯端末１０の充電を行うことができる。
【００６８】
このように、収納ケース１Ｅに備えられるアンテナ９の形状を携帯端末１０とほぼ同形状のカード状に形成するとともに、携帯端末１０の裏面１１Ａとアンテナ９とが対面するように携帯端末１０とアンテナ９とを積層させて収納ケース１Ｅに収納することにより、社員情報が印刷された携帯端末１０の表面１１が収納ケース１Ｅの外部から視認可能なように、携帯端末１０を収納ケース１Ｅに収納することができる。これにより、携帯端末１０の所有者は、携帯端末１０を収納ケース１Ｅに収納した状態で、携帯端末１０を身分証明書として使用することが可能となる。
【００６９】
また、収納ケース１Ｅにアンテナ９が備えられたことにより、携帯端末１０を収納ケース１Ｄに収納した状態であっても、携帯端末１０の電波の受信感度を高めることができる。なお、アンテナ９を携帯端末１０とほぼ同形状のカード状に形成して、アンテナ９と携帯端末１０とを積層させて収納ケース１Ｅに収納することにより、収納ケース１Ｅの大きさを大きくすることなく、携帯端末１０の電波の受信感度を大幅に高めることができる。
【００７０】
また、携帯端末１０は、収納ケース１Ｅに収納されている時には、アンテナ９を充電器として利用することにより充電される。これにより、携帯端末１０の所有者は、内蔵バッテリ２１ａの充電を行うことなく、長時間、携帯端末１０を駆動させることができる。
【００７１】
第６実施形態によると、ケース本体２が透明または半透明の素材で形成されるとともに内部にアンテナ９を備えたことにより、内部に携帯端末１０が収納された際に、この携帯端末１０が外部から視認でき、また携帯端末１０の電波の受信感度を高めることができ、この携帯端末１０の操作性を向上させることが可能となる。
【００７２】
〔第７実施形態〕
本発明に係る携帯端末の収納ケースの第７実施形態について、図９を参照しながら説明する。第７実施形態の収納ケース１Ｆは、第１実施形態乃至第６実施形態の収納ケース１、１Ａ乃至１Ｅと同様に、カード型等の比較的小型の携帯端末１０を収納するための収納ケースである。以下、第１実施形態乃至第６実施形態と同一の構成には同一の符号を付し、重複する説明を省略する。
【００７３】
図９（Ａ）に、携帯端末収納時の収納ケース１Ｆを表面側から見た状態を示す斜視図を、図９（Ｂ）に、図９（Ａ）のＨ方向における断面図を示す。収納ケース１Ｆは、第１実施形態の収納ケース１と同様に、主にケース本体２から構成されているとともに、ケース本体２には挿入スロット３、バッテリ４、接続端子５、保持部６が設けられている。
【００７４】
図９に示すように、収納ケース１Ｆのケース本体２には、ＬＥＤ３０が備えられている。このＬＥＤ３０は、所有者が、携帯端末１０が収納された収納ケース１Ｆを例えば衣服のポケットに吊り下げる等して携帯する時に露出される位置に設置される。例えば、ＬＥＤ３０は、図９（Ａ）に示すように、ケース本体２の一面（例えば収納された携帯端末１０の表面１１に対面する側の面）に設置される。
【００７５】
また、ＬＥＤ３０は、例えば、携帯端末１０に着信があった場合やメール受信があった場合に、携帯端末１０でやり取りされる電波を感知して点灯する。あるいは、収納ケース１Ｆが、携帯端末１０の着信状況やメール受信状況、緊急ニュースの受信状況、タイマーにより設定された時間の刻時等を示す情報を携帯端末１０から取得して、ＬＥＤ３０を点灯させるような回路を備えていても良い。
【００７６】
このように、携帯端末１０は、収納ケース１Ｆに収納されている時には外部のバッテリ４から電力の供給を受け、収納ケース１Ｆに収納されていない時には内蔵バッテリ２１ａから電力の供給を受ける。これにより、携帯端末１０の所有者は、内蔵バッテリ２１ａの充電を行うことなく、長時間、携帯端末１０を駆動させることができる。
【００７７】
また、携帯端末１０が収納ケース１Ｆに収納されている状態で、収納ケース１Ｆの外部に露出する位置にＬＥＤ３０を設け、このＬＥＤ３０を携帯端末１０の着信状況やメール受信状況等に応じて点灯させることにより、携帯端末１０の所有者は、このＬＥＤ３０の点灯に基づいて携帯端末１０の着信状況やメール受信状況等を確認することができる。
【００７８】
第７実施形態によると、ケース本体２が透明または半透明の素材で形成されるとともに内部にバッテリ４を備え、またこのケース本体２にＬＥＤが設けられたことにより、内部に携帯端末１０が収納された際に、この携帯端末１０が外部から視認でき、またバッテリ４から電力が供給され、さらに携帯端末１０の着信状況やメール受信状況を所有者が確認することができ、この携帯端末１０の操作性を向上させることが可能となる。
【００７９】
〔第８実施形態〕
本発明に係る携帯端末の収納ケースの第８実施形態について、図１０を参照しながら説明する。第８実施形態の収納ケース１Ｇは、第１実施形態乃至第７実施形態の収納ケース１、１Ａ乃至１Ｆと同様に、カード型等の比較的小型の携帯端末１０を収納するための収納ケースである。以下、第１実施形態乃至第７実施形態と同一の構成には同一の符号を付し、重複する説明を省略する。
【００８０】
図１０（Ａ）に、携帯端末収納時の収納ケース１Ｇを裏面側から見た状態を示す斜視図を、図１０（Ｂ）に、図１０（Ａ）のＩ方向における断面図を示す。収納ケース１Ｇは、第１実施形態の収納ケース１と同様に、主にケース本体２から構成されているとともに、ケース本体２には挿入スロット３、保持部６が設けられている。
【００８１】
図１０に示すように、収納ケース１Ｇのケース本体２の内部には、冷却材３１が備えられている。この冷却材３１は、例えば金や銀、ステンレス、マグネシウム等の熱伝導率の高い金属素材により、例えばカード状に形成されている。そして冷却部材３１は、ケース本体２の内部に、収納ケース１Ｇに収納された状態で少なくとも携帯端末１０のアンテナ実装部を覆わない位置に、ケース本体２に対して平行になるように収納される。これにより、携帯端末１０のアンテナに金属が近接することにより、このアンテナの放射が低下することが防止される。そして、ケース本体２に携帯端末１０が収納される際には、携帯端末１０が冷却材３１に対して平行になるように挿入され、冷却材３１が携帯端末１０の裏面１１Ａに対面するように収納される。特に、冷却材３１は、携帯端末１０の無線モジュールやパワーアンプ等が配置されている発熱が大きい箇所に当接するように設置されると良い。
【００８２】
携帯端末１０を小型に形成する際に、放熱部材を省くことにより小型化を実現している場合が多いため、携帯端末１０の内部で発生した熱がうまく発散されず、携帯端末１０が熱くなりすぎてしまうという問題があった。しかし、携帯端末１０を収納ケース１Ｇに収納すると、携帯端末１０の発熱が大きい箇所（無線モジュールやパワーアンプ等）が冷却材３１により冷却され、携帯端末１０において発熱による不具合が生じてしまうことが防止される。
【００８３】
第８実施形態によると、ケース本体２が透明または半透明の素材で形成されるとともに内部に冷却材３１を備えたことにより、内部に携帯端末１０が収納された際に、この携帯端末１０が外部から視認でき、また携帯端末１０の内部で発生した熱を放熱することができ、この携帯端末１０の操作性を向上させることが可能となる。
【００８４】
〔第９実施形態〕
本発明に係る携帯端末の収納ケースの第９実施形態について、図１１を参照しながら説明する。第９実施形態の収納ケース１Ｈは、第１実施形態乃至第８実施形態の収納ケース１、１Ａ乃至１Ｇと同様に、カード型等の比較的小型の携帯端末１０を収納するための収納ケースである。以下、第１実施形態乃至第８実施形態と同一の構成には同一の符号を付し、重複する説明を省略する。
【００８５】
図１１（Ａ）に、携帯端末収納時の収納ケース１Ｈを裏面側から見た状態を示す斜視図を、図１１（Ｂ）に、図１１（Ａ）のＪ方向における断面図を示す。収納ケース１Ｈは、第８実施形態の収納ケース１Ｇと同様に、主にケース本体２から構成されているとともに、ケース本体２には挿入スロット３、保持部６、冷却材３１が設けられている。
【００８６】
図１１に示すように、収納ケース１Ｇのケース本体２の内部には、ペルチェ素子３２が備えられている。ペルチェ素子とは、冷却効果のある電子部品の一つであり、ＣＰＵの冷却装置などに使われている。ペルチェ素子は、２種類の金属の接合部に電流を流すと、片方の金属からもう片方の金属へ熱が移動するという「ペルチェ効果」を利用した素子である。
【００８７】
ペルチェ素子３２は、冷却材３１とほぼ同形状のカード状に形成され、ケース本体２の内部に、携帯端末１０が収納される空間と冷却部材３１が備えられる空間との間に、相互に積層されるようにして設けられている。そして、ケース本体２に携帯端末１０が収納される際には、携帯端末１０が冷却材３１及びペルチェ素子３２に対して平行になるように挿入され、ペルチェ素子３２が携帯端末１０の裏面１１Ａに対面するように収納される。
【００８８】
このように、携帯端末１０を収納ケース１Ｈに収納すると、携帯端末１０の発熱が大きい箇所（無線モジュールやパワーアンプ等）がベルチェ素子３２及び冷却材３１により冷却され、携帯端末１０において発熱による不具合が生じてしまうことが防止される。
【００８９】
第９実施形態によると、ケース本体２が透明または半透明の素材で形成されるとともに内部に冷却材３１及びペルチェ素子３２を備えたことにより、内部に携帯端末１０が収納された際に、この携帯端末１０が外部から視認でき、また携帯端末１０の内部で発生した熱を放熱することができ、この携帯端末１０の操作性を向上させることが可能となる。
【００９０】
〔第１０実施形態〕
本発明に係る携帯端末の収納ケースの第１０実施形態について、図１２を参照しながら説明する。第１０実施形態の収納ケース１Ｊは、第１実施形態乃至第９実施形態の収納ケース１、１Ａ乃至１Ｈと同様に、カード型等の比較的小型の携帯端末１０を収納するための収納ケースである。以下、第１実施形態乃至第９実施形態と同一の構成には同一の符号を付し、重複する説明を省略する。
【００９１】
図１２に、携帯端末収納時の収納ケース１Ｊを示す斜視図を示す。収納ケース１Ｊは、第１実施形態乃至第９実施形態の収納ケース１、１Ａ乃至１Ｈのいずれかに対して、保持部６にストラップ３３が接続されたものである。
【００９２】
ストラップ３３の所定の位置には、収納ケース１Ｊに収納された携帯端末１０から出力される音声を出力するスピーカ３４、周囲の音声を集音して携帯端末１０に入力するマイクロフォン３５を備えている。例えば、図１２に示すように、所有者がストラップ３３を用いて収納ケース１Ｊを首から提げた場合に、ストラップ３３において、所有者の耳に近い位置にスピーカ３４を、口に近い位置にマイクロフォン３５を配置すると良い。
【００９３】
収納ケース１Ｊに収納された携帯端末１０が出力する音声をスピーカ３４が出力する際、または、マイクロフォン３５に入力された音声を携帯端末１０が入力する際、携帯端末１０及びスピーカ３４間、マイクロフォン３５及び携帯端末１０間で、音声信号を無線で送受信するようにすると良い。
【００９４】
あるいは、ストラップ３３にケーブルを内包するとともに、収納ケースＪのケース本体２に収納された携帯端末１０にこのケーブルを電気接続し、携帯端末１０及びスピーカ３４間、マイクロフォン３５及び携帯端末１０間で、このケーブルを介して音声信号を送受信するようにすると良い。
【００９５】
このように、収納ケース１Ｊにおいて、スピーカ３４やマイクロフォン３５が設けられたストラップ３３を備えていることにより、携帯端末１０の所有者は、携帯端末１０が収納された収納ケース１Ｊを首から提げている状態で、この携帯端末１０を用いて音声通話を行うことができる。
【００９６】
第１０実施形態によると、ケース本体２が透明または半透明の素材で形成されるとともに、所定位置にスピーカやマイクロフォンが設けられたストラップを備えたことにより、内部に携帯端末１０が収納されて所有者の首から提げられた際に、この携帯端末１０が外部から視認でき、また、携帯端末１０を用いた音声通話の際に、携帯端末１０を所有者の耳や口の位置に保持しなくても音声通話を行うことができ、この携帯端末１０の操作性を向上させることが可能となる。
【００９７】
本発明の説明として、携帯端末１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯型テレビ、携帯型音楽再生機や、携帯型ゲーム機器等の任意の通信端末であっても良い。
【図面の簡単な説明】
【００９８】
【図１】（Ａ）は、本発明に係る携帯端末の収納ケースの第１実施形態について、携帯端末収納時に表面側から見た状態を示す斜視図、（Ｂ）は、（Ａ）のＡ方向における断面図。
【図２】（Ａ）は、第１実施形態の収納ケースに収納される携帯端末を示す正面図、（Ｂ）は、（Ａ）に示す携帯端末を反時計周りに９０度回転させた状態を示す背面図、（Ｃ）は、（Ａ）に示す携帯端末を反時計周りに９０度回転させた状態を示す側面図。
【図３】第１実施形態の収納ケースに収納される携帯端末を示す機能ブロック図。
【図４】（Ａ）は、本発明に係る携帯端末の収納ケースの第２実施形態について、携帯端末収納時に表面側から見た状態を示す斜視図、（Ｂ）は、本発明に係る携帯端末の収納ケースの第２実施形態について、携帯端末収納時に裏面側から見た状態を示す斜視図、（Ｃ）は、（Ａ）のＢ方向における断面図。
【図５】（Ａ）は、本発明に係る携帯端末の収納ケースの第３実施形態について、携帯端末収納時に裏面側から見た状態を示す斜視図、（Ｂ）は、（Ａ）のＣ方向における断面図。
【図６】（Ａ）は、本発明に係る携帯端末の収納ケースの第４実施形態について、携帯端末収納時に表面側から見た状態を示す斜視図、（Ｂ）は、（Ａ）のＤ方向における断面図、（Ｃ）は、（Ａ）のＥ方向における断面図。
【図７】（Ａ）は、本発明に係る携帯端末の収納ケースの第５実施形態について、携帯端末収納時に表面側から見た状態を示す斜視図、（Ｂ）は、（Ａ）のＦ方向における断面図。
【図８】（Ａ）は、本発明に係る携帯端末の収納ケースの第６実施形態について、携帯端末収納時に表面側から見た状態を示す斜視図、（Ｂ）は、（Ａ）のＧ方向における断面図。
【図９】（Ａ）は、本発明に係る携帯端末の収納ケースの第７実施形態について、携帯端末収納時に表面側から見た状態を示す斜視図、（Ｂ）は、（Ａ）のＨ方向における断面図。
【図１０】（Ａ）は、本発明に係る携帯端末の収納ケースの第８実施形態について、携帯端末収納時に裏面側から見た状態を示す斜視図、（Ｂ）は、（Ａ）のＩ方向における断面図。
【図１１】（Ａ）は、本発明に係る携帯端末の収納ケースの第９実施形態について、携帯端末収納時に裏面側から見た状態を示す斜視図、（Ｂ）は、（Ａ）のＪ方向における断面図。
【図１２】本発明に係る携帯端末の収納ケースの第１０実施形態について、携帯端末収納時の状態を示す斜視図。
【符号の説明】
【００９９】
１…収納ケース，２…ケース本体，２Ａ…切欠部，３…挿入スロット，４…バッテリ，５…接続端子，６…保持部，７…非金属体，８、９…アンテナ，１０…携帯端末，１０Ａ…筐体，１１…表面，１１Ａ…裏面，１２…側面，１３…液晶ディスプレイ，１４…スピーカ，１５…操作キー，１６…マイクロフォン，１７…ＬＥＤ，１８…充電端子，２０…主制御部，２１…電源回路部，２１ａ…バッテリ，２２…操作入力制御部，２３…表示制御部，２４…鳴動制御部，２５…音声制御部，２６…通信制御部，２６ａ…アンテナ，２７…記憶部，２８…ＩＣタグ制御部，２８ａ…ＩＣタグ，３０…ＬＥＤ，３１…冷却材，３２…ベルチェ素子，３３…ストラップ，３４…スピーカ，３５…マイク。
【図１】
2009182621.tif 000003
【図２】
2009182621.tif 000004
【図３】
2009182621.tif 000005
【図４】
2009182621.tif 000006
【図５】
2009182621.tif 000007
【図６】
2009182621.tif 000008
【図７】
2009182621.tif 000009
【図８】
2009182621.tif 000010
【図９】
2009182621.tif 000011
【図１０】
2009182621.tif 000012
【図１１】
2009182621.tif 000013
【図１２】
2009182621.tif 000014